(57)【要約】【課題】横抱きと縦抱きの双方の使用が可能であって、縦抱き使用時の重量を低減させることが可能な子守帯を提供することにある。【解決手段】子守帯１００は、本体７０と、本体７０の一端に設けられた大人用腰ベルト５０と、大人用腰ベルト５０を収容可能な収容部８１を有する腰ベルト収容パーツ８０と、を備えた子守帯１００であって、腰ベルト収容パーツ８０は、大人用腰ベルト５０を収容部８１内に収容した横抱き状態では本体７０および大人用腰ベルト５０と一体化され、大人用腰ベルト５０を収容部８１に収容しない縦抱き状態では本体７０および大人用腰ベルト５０から分離される。【選択図】図１
2020010793.tif 000002
【特許請求の範囲】
【請求項１】
本体と、
前記本体の一端に設けられた腰ベルトと、
前記腰ベルトを収容可能な収容部を有する収容部材と、
を備え、
前記収容部材は、前記腰ベルトを前記収容部内に収容した横抱き状態では前記本体および前記腰ベルトと一体化され、前記腰ベルトを前記収容部内に収容しない縦抱き状態では前記本体および前記腰ベルトから分離される、
子守帯。
【請求項２】
第１固定側端部が前記本体に固定されており、前記第１固定側端部とは反対側の端部である第１着脱側端部において第１連結部を有している第１大人用肩ベルトと、
第２固定側端部が前記本体に固定されており、前記第２固定側端部とは反対側の端部である第２着脱側端部において第２連結部を有している第２大人用肩ベルトと、
前記本体に固定されており、縦抱き使用状態で前記第１連結部が連結される第１本体側被連結部と、
前記本体に固定されており、縦抱き使用状態で前記第２連結部が連結される第２本体側被連結部と、
をさらに備え、
前記収容部材は、横抱き使用状態で前記第１連結部が連結される第１収容側被連結部と、横抱き使用状態で前記第２連結部が連結される第２収容側被連結部と、を有している、
請求項１に記載の子守帯。
【請求項３】
前記収容部材は、前記第１収容側被連結部および／または前記第２収容側被連結部を覆うカバー部を有している、
請求項２に記載の子守帯。
【請求項４】
前記収容部材は、
前記カバー部に固定されており、前記第１連結部が前記第１収容側被連結部に連結された状態で、前記第１連結部が有する被係止部に係止可能であり、係止状態において前記第１収容側被連結部の前記第１連結部から離れる方向への移動を制限する第１係止部、および／または、
前記カバー部に固定されており、前記第２連結部が前記第２収容側被連結部に連結された状態で、前記第２連結部が有する被係止部に係止可能であり、係止状態において前記第２収容側被連結部の前記第２連結部から離れる方向への移動を制限する第２係止部、
を有している、
請求項３に記載の子守帯。
【請求項５】
前記本体または前記腰ベルトに対して固定されており、前記第１収容側被連結部および前記第２収容側被連結部を通過させるが、前記収容部は通過させない環状部をさらに備えた、
請求項２から４のいずれか１項に記載の子守帯。
【請求項６】
前記環状部は、前記本体と前記腰ベルトとの境界部分またはその近傍に設けられている、
請求項５に記載の子守帯。
【請求項７】
前記収容部材は、前記腰ベルトを内部に入れるための開口部を有しており、
前記開口部の縁の少なくとも一部は、伸縮性を有している、
請求項１から６のいずれか１項に記載の子守帯。
【発明の詳細な説明】
【技術分野】
【０００１】
本発明は、子守帯に関する。
【背景技術】
【０００２】
従来より、大人が乳幼児等の子供を抱く際に、子守帯が使用されている。この子守帯としては、乳幼児等の成長に合わせて、主として首が据わっていない乳幼児等を寝かせた状態で抱くための横抱き使用と、乳幼児等を起こした状態で抱くための縦抱き使用と、の双方での使用が可能な子守帯がある。
【０００３】
このように横抱きと縦抱きに双方に使用可能な子守帯としては、例えば、特許文献１（特開２０１３−１４６３９９号公報）に記載の子守帯のように、縦抱き使用時において大人の腰に巻いて使用される腰ベルトが、横抱き使用時には不要となることから、横抱き使用時に腰ベルトを折り畳んで格納するための格納部を本体下部に設けているものがある。
【発明の概要】
【発明が解決しようとする課題】
【０００４】
ところが、子守帯を横抱き使用する時期が過ぎて縦抱き使用する場合には、腰ベルトは常時使用されることとなるため、腰ベルトの格納部が不要となる場合がある。このように、腰ベルトの格納部が不要となっているにもかかわらず、当該格納部が本体に一体的に設けられていることから、大人は常時、当該格納部の重量分だけ負担を強いられることになる。
【０００５】
本発明の課題は、上述した点に鑑みてなされたものであり、横抱きと縦抱きの双方の使用が可能であって、縦抱き使用時の重量を低減させることが可能な子守帯を提供することにある。
【課題を解決するための手段】
【０００６】
第１観点に係る子守帯は、本体と、腰ベルトと、収容部材と、を備えている。腰ベルトは、本体の一端に設けられている。収容部材は、腰ベルトを収容可能な収容部を有している。収容部材は、腰ベルトを収容部内に収容した横抱き状態では本体および腰ベルトと一体化され、腰ベルトを収容部内に収容しない縦抱き状態では本体および腰ベルトから分離される。
【０００７】
この子守帯では、収容部材の収容部内に腰ベルトを収容させることで横抱き使用が可能となり、収容部材を分離して腰ベルトを大人の腰に巻き付けることで縦抱き使用が可能となる。そして、縦抱き使用時には収容部を有する収容部材は、本体および腰ベルトから分離されているため、縦抱き使用時の子守帯の重量を低減させることが可能になる。
【０００８】
第２観点に係る子守帯は、第１観点に係る子守帯であって、第１大人用肩ベルトと、第２大人用肩ベルトと、第１本体側被連結部と、第２本体側被連結部と、をさらに備えている。第１大人用肩ベルトは、第１固定側端部が本体に固定されており、第１固定側端部とは反対側の端部である第１着脱側端部において第１連結部を有している。第２大人用肩ベルトは、第２固定側端部が本体に固定されており、第２固定側端部とは反対側の端部である第２着脱側端部において第２連結部を有している。第１本体側被連結部は、本体に固定されており、縦抱き使用状態で第１連結部が連結される。第２本体側被連結部は、本体に固定されており、縦抱き使用状態で第２連結部が連結される。収容部材は、横抱き使用状態で第１連結部が連結される第１収容側被連結部と、横抱き使用状態で第２連結部が連結される第２収容側被連結部と、を有している。
【０００９】
この子守帯では、横抱き使用状態で第１連結部が連結される第１収容側被連結部と、横抱き使用状態で第２連結部が連結される第２収容側被連結部と、の両方が、収容部材に設けられている。そして、縦抱き時には、第１収容側被連結部と第２収容側被連結部を有する収容部材が、本体および腰ベルトから分離される。このため、縦抱き使用時の子守帯の重量に、横抱き時に用いられる第１収容側被連結部と第２収容側被連結部の重量が含まれることを避けることができる。
【００１０】
第３観点に係る子守帯は、第２観点に係る子守帯であって、収容部材は、第１収容側被連結部および／または第２収容側被連結部を覆うカバー部を有している。
【００１１】
この子守帯では、第１収容側被連結部および／または第２収容側被連結部の露出を抑えて、乳幼児等に当たることを抑制できる。
【００１２】
第４観点に係る子守帯は、第３観点に係る子守帯であって、収容部材は、第１係止部、および／または、第２係止部を有している。第１係止部は、カバー部に固定されており、第１連結部が第１収容側被連結部に連結された状態で、第１連結部が有する被係止部に係止可能であり、係止状態において第１収容側被連結部の第１連結部から離れる方向への移動を制限する。第２係止部は、カバー部に固定されており、第２連結部が第２収容側被連結部に連結された状態で、第２連結部が有する被係止部に係止可能であり、係止状態において第２収容側被連結部の第２連結部から離れる方向への移動を制限する。
【００１３】
この子守帯では、第１収容側被連結部と第１連結部との連結状態が解除されることがあったとしても、第１係止部が第１連結部の被係止部に係止した係止状態において、第１収容側被連結部が第１連結部から離れる方向へ移動することを抑制できる、および／または、第２収容側被連結部と第２連結部との連結状態が解除されることがあったとしても、第２係止部が第２連結部の被係止部に係止した係止状態において、第２収容側被連結部が第２連結部から離れる方向へ移動することを抑制できる。
【００１４】
第５観点に係る子守帯は、第２観点から第４観点のいずれかに係る子守帯であって、環状部をさらに備えている。環状部は、本体または腰ベルトに対して固定されており、第１収容側被連結部および第２収容側被連結部を通過させるが、収容部は通過させない。
【００１５】
この子守帯では、第１収容側被連結部および第２収容側被連結部を環状部に通過させて、第１連結部や第２連結部と連結させることで横抱き使用の状態とした場合には、収容部材が環状部を通過することができない。このため、収容部材の収容部からの腰ベルトの抜け出しを抑制し、横抱き使用時の安定性を高めることが可能となる。
【００１６】
第６観点に係る子守帯は、第５観点に係る子守帯であって、環状部は、本体と腰ベルトとの境界部分またはその近傍に設けられている。
【００１７】
この子守帯では、本体と腰ベルトとを一体化させる際に、環状部も合わせて一体化させることが可能となり、強度を高めることが可能になる。
【００１８】
第７観点に係る子守帯は、第１観点から第６観点のいずれかに係る子守帯であって、収容部材は、腰ベルトを内部に入れるための開口部を有している。開口部の縁の少なくとも一部は、伸縮性を有している。
【００１９】
この子守帯では、収容部材の収容部に腰ベルトを収容させる際には、伸縮性を有する開口部を広げることで、収容作業が容易になると共に、収容部材の収容部に腰ベルトが収容された状態では開口部が収縮することで腰ベルトの抜け出しを抑制される。
【発明の効果】
【００２０】
本発明に係る子守帯では、横抱きと縦抱きの双方の使用が可能であって、縦抱き使用時の重量を低減させることが可能となる。
【図面の簡単な説明】
【００２１】
【図１】子守帯の背面視の平面図である。
【図２】子守帯の正面視の平面図である。
【図３】股当ての上方通過部に子供用肩ベルトを通す場合の外観図である。
【図４】フードの外観平面図（外側）である。
【図５】フードの外観斜視図（内側）である。
【図６】インサートパッドの外観平面図である。
【図７】座部クッションの外観斜視図である。
【図８】股当ての下方通過部に子供用肩ベルトを通しつつインサートパッドを取り付けた状態を示す側面図である。
【図９】腰ベルト収容パーツの平面視概略図である。
【図１０】腰ベルト収容パーツの底面視概略図である。
【図１１】第１横抱き用雌バックルに第１切換雄バックルを挿入する様子を示す概略外観斜視図である。
【図１２】第１横抱き用雌バックルに第１切換雄バックルが挿入され、第２横抱き用雌バックルに第２切換雄バックルが挿入された様子の側面視配置説明図である。
【図１３】子供用腰ベルトの外観図である。
【図１４】横抱き状態の子守帯の側面視外観図である。
【図１５】横抱き状態の子守帯と子供の位置関係を示す平面視外観図である。
【発明を実施するための形態】
【００２２】
以下、本発明の一実施形態に係る子守帯１００について、図面を参照しながら説明する。なお、以下は本発明の例を説明するものであり、本発明はこれらの例に限定されるものではない。
【００２３】
（１）子守帯１００の概略構成
子守帯１００は、横抱き状態と縦抱き状態の両方の状態で使用することができるものである。横抱き使用時には、子守帯１００の上に乳幼児等の子供を横にしつつ、大人の首の後ろと片方又は両方の肩に引っ掛けるようにして用いられる。縦抱き使用時には、子守帯１００と大人との間に子供が入り込む姿勢で、乳幼児等の子供を縦に起こして用いられる。特に限定されないが、子守帯１００は、主として、生後１０日〜首が据わるまでの間の乳幼児等の子供については横抱きの状態で用いられ、首が据わった後の乳幼児等の子供については縦抱きの状態で用いられることが好ましい。
【００２４】
以下では、まず、横抱き状態と比較してより長い期間用いられる縦抱き状態を主として説明する。
【００２５】
子守帯１００は、縦抱き状態では、主として大人の前側から肩と腰に固定されるようにして用いられる。
【００２６】
子守帯１００は、図１の背面視の平面図および図２の正面視の平面図に示すように、主として、本体７０、大人用腰ベルト５０、大人用肩ベルト３０、４０、子供用肩ベルト１０、２０、股当て６０、第１縦抱き用雌バックル６５、第１縦抱き用カバー６４、第２縦抱き用雌バックル６７、第２縦抱き用カバー６６、環状ストラップ部６９等を備えている。また、子守帯１００は、オプション品としてのフード７７、座部クッション９１およびインサートパッド９５、さらに、横抱き状態で用いられる腰ベルト収容パーツ８０および子供用腰ベルト５５等を備えている。
【００２７】
なお、本実施形態の子守帯１００は、本体７０に対して、子供用肩ベルト１０、２０（後述する第１カバー１５および第２カバー２５を除く）、大人用肩ベルト３０、４０、大人用腰ベルト５０、第１縦抱き用雌バックル６５、第１縦抱き用カバー６４、第２縦抱き用雌バックル６７、第２縦抱き用カバー６６、環状ストラップ部６９、および、股当て６０が縫合されるようにして取り外し不能に接続されている。
【００２８】
（２）本体７０
本体７０は、縦抱き使用時において、主として大人の前側の腰より上方であって首より下方の部分を覆うように広がっている。本体７０は、主に布で構成されている。
【００２９】
本体７０には、小物入れ７１、ファスナー７２、フード取付けボタン７６等が設けられている。
【００３０】
小物入れ７１は、本体７０の大人側とは反対側である外側に設けられており、上端縁に設けられたファスナー７２によって開閉することができる。
【００３１】
フード取付けボタン７６は、本体７０の上端であって、大人側とは反対側に設けられており、後述するフード７７を取り付けることができる。
【００３２】
（３）大人用腰ベルト５０
大人用腰ベルト５０は、縦抱き使用時において、子守帯１００を大人の腰に固定するためのものであり、本体７０の下端よりもさらに下方において左右に広がるように設けられている。
【００３３】
大人用腰ベルト５０は、大人用腰ベルト本体５１、大人用腰ストラップ５２、大人用腰雄バックル５３、大人用腰雌バックル５４を有している。
【００３４】
大人用腰ベルト本体５１は、本体７０の下端縁から下方に伸びた部分と、そこからさらに左右に伸びた部分を有している。この大人用腰ベルト本体５１は、縦抱き使用時において子守帯１００を大人が装着した際に大人の腰回りに直接当たる部分であり、クッション材を介在させて肉厚に構成されている。
【００３５】
大人用腰ストラップ５２は、縦抱き使用時において大人用腰ベルト本体５１の大人側とは反対側において、大人用腰ベルト本体５１と重なりあって左右に延びるように設けられており、大人用腰ベルト本体５１よりも薄く構成されている。大人用腰ストラップ５２は、大人用腰ベルト本体５１の左側（大人から見て左側）の端部よりもさらに左側に向けて伸び出している。なお、大人用腰ストラップ５２は、樹脂繊維が編み込まれるようにして構成されている。
【００３６】
大人用腰雄バックル５３は、大人用腰ストラップ５２のうち大人用腰ベルト本体５１側の右側端部よりもさらに右側の部分において、大人用腰ストラップ５２の途中に取り付けられている。この大人用腰雄バックル５３には、大人用腰雄バックル５３の大人用腰ストラップ５２の長手方向における位置を変更できるようにアジャスタが設けられている。
【００３７】
大人用腰雌バックル５４は、大人用腰ベルト本体５１の右側（大人から見て右側）の端部近傍に設けられており、大人用腰ストラップ５２の右側端部に取り付けられている。
【００３８】
大人用腰雄バックル５３と大人用腰雌バックル５４とは、連結および切り離しが可能となっている。なお、大人用腰雄バックル５３および大人用腰雌バックル５４は、いずれも樹脂部材によって構成されている。
【００３９】
なお、この大人用腰ベルト５０は、横抱き使用時においては、長手方向の両端部分が丸め込まれた状態で、後述する腰ベルト収容パーツ８０の内部に収容される。
【００４０】
（４）大人用肩ベルト３０、４０
大人用肩ベルト３０、４０は、子守帯１００を大人の肩に引っ掛けて固定するためのものであり、大人の左肩に掛けて用いられる第１大人用肩ベルト３０と、大人の右肩に掛けて用いられる第２大人用肩ベルト４０とがある。
【００４１】
第１大人用肩ベルト３０は、縦抱き使用時の大人側から見て本体７０の左側に設けられており、本体７０の左上端部において本体７０と縫合されている。この第１大人用肩ベルト３０は、第１大人用肉厚部３１、第１大人用ストラップ部３２、第１切換雄バックル３３、第１サポートベルト３４、第１サポートバックル３５を有している。
【００４２】
第１大人用肉厚部３１は、一端が、本体７０の左上（縦抱き使用時の大人側から見て左上）において本体７０に縫合固定されている。この第１大人用肉厚部３１は、縦抱き状態の子守帯１００を大人が装着した際に大人の左肩回り（左肩の上方および後ろ側）に直接当たる部分であり、クッション材を介在させて肉厚に構成されている。
【００４３】
第１大人用ストラップ部３２は、一端が、第１大人用肉厚部３１の長手方向における途中の部分に縫合固定されている。また、第１大人用ストラップ部３２の途中部分には、第１切換雄バックル３３が設けられている。この第１大人用ストラップ部３２は、樹脂繊維が編み込まれるようにして構成されている。なお、縦抱き状態から横抱き状態に切り換えて使用することができるように、第１大人用ストラップ部３２の最大長さは、第１大人用肉厚部３１の長さの８０％以上となるように構成されている。
【００４４】
第１切換雄バックル３３は、第１大人用ストラップ部３２の途中部分に設けられており、第１大人用ストラップ部３２の長手方向における位置を変更できるようにアジャスタが設けられている。この第１切換雄バックル３３は、樹脂部材によって構成されている。第１切換雄バックル３３は、縦抱き状態では、後述する第１縦抱き用雌バックル６５に連結されることで大人の腕に掛けるためのループを形成する。第１切換雄バックル３３は、横抱き状態では、後述する腰ベルト収容パーツ８０が有する第１横抱き用雌バックル８５に連結されることで大人の首の後ろに掛けるためのループを形成する。
【００４５】
第１サポートベルト３４は、樹脂繊維が編み込まれるようにして構成されており、第１大人用肉厚部３１の長手方向の中央近傍から延び出したベルトである。
【００４６】
第１サポートバックル３５は、樹脂部材によって構成されており、第１サポートベルト３４の第１大人用肉厚部３１側端部とは反対側に固定されている。第１サポートバックル３５は、後述する第２サポートベルト４４の先端に設けられた第２サポートバックル４５と連結させて用いられる。
【００４７】
第２大人用肩ベルト４０は、第１大人用肩ベルト３０と同様ではあるが、縦抱き使用時の大人側から見て本体７０の右側に設けられており、本体７０の右上端部において本体７０と縫合されている。この第２大人用肩ベルト４０は、第２大人用肉厚部４１、第２大人用ストラップ部４２、第２切換雄バックル４３、第２サポートベルト４４、第２サポートバックル４５を有している。
【００４８】
第２大人用肉厚部４１は、一端が、本体７０の右上（縦抱き使用時の大人側から見て右上）におけて本体７０に縫合固定されている。この第２大人用肉厚部４１は、縦抱き状態の子守帯１００を大人が装着した際に大人の右肩回り（右肩の上方および後ろ側）に直接当たる部分であり、クッション材を介在させて肉厚に構成されている。
【００４９】
第２大人用ストラップ部４２は、第２大人用肉厚部４１の長手方向における途中の部分に縫合固定されている。また、第２大人用ストラップ部４２の途中部分には、第２切換雄バックル４３が設けられている。この第２大人用ストラップ部４２は、樹脂繊維が編み込まれるようにして構成されている。なお、縦抱き状態から横抱き状態に切り換えて使用することができるように、第２大人用ストラップ部４２の最大長さは、第２大人用肉厚部４１の長さの８０％以上となるように構成されている。
【００５０】
第２切換雄バックル４３は、第２大人用ストラップ部４２の途中部分に設けられており、第２大人用ストラップ部４２の長手方向における位置を変更できるようにアジャスタが設けられている。この第２切換雄バックル４３は、樹脂部材によって構成されている。第２切換雄バックル４３は、縦抱き状態では、後述する第２縦抱き用雌バックル６７に連結されることで大人の腕に掛けるためのループを形成する。第２切換雄バックル４３は、横抱き状態では、後述する腰ベルト収容パーツ８０が有する第２横抱き用雌バックル８６に連結されることで大人の首の後ろに掛けるためのループを形成する。
【００５１】
第２サポートベルト４４は、樹脂繊維が編み込まれるようにして構成されており、第２大人用肉厚部４１の長手方向の中央近傍から延び出したベルトである。
【００５２】
第２サポートバックル４５は、樹脂部材によって構成されており、第２サポートベルト４４の第２大人用肉厚部４１側端部とは反対側に固定されている。第２サポートバックル４５は、上述の第１サポートベルト３４の先端に設けられた第１サポートバックル３５と連結させて用いられる。
【００５３】
子守帯１００の縦抱き使用時では、大人の背面側で第１サポートバックル３５と第２サポートバックル４５とが連結されることにより、第１サポートベルト３４と第２サポートベルト４４とが繋がる。これにより、第１大人用肩ベルト３０と第２大人用肩ベルト４０とが、第１サポートベルト３４、第１サポートバックル３５、第２サポートバックル４５、第２サポートベルト４４を介して、大人の背面側で繋がる。これにより、使用時に、第１大人用肩ベルト３０が大人の左肩から脱落することを抑制し、第２大人用肩ベルト４０が大人の右肩から脱落することを抑制することが可能になっている。
【００５４】
（５）第１縦抱き用雌バックル６５
第１縦抱き用雌バックル６５は、縦抱き使用時において第１大人用肩ベルト３０の第１切換雄バックル３３が連結され、横抱き使用時において後述する子供用腰ベルト５５の第１子供用腰雄バックル５７または第２子供用腰雄バックル５８が連結されるものであり、縦抱き使用時の大人側から見て本体７０の左側の上下方向における中央近傍に設けられている。より詳細には、第１縦抱き用雌バックル６５は、短いストラップに連結されており、当該ストラップが本体７０に縫合固定されることで、本体７０に固定されている。第１縦抱き用雌バックル６５は、樹脂部材によって構成されている。
【００５５】
（６）第１縦抱き用カバー６４
第１縦抱き用カバー６４は、第１縦抱き用雌バックル６５の連結箇所を除く周囲を筒状に覆うように設けられた布状部材であり、開口が設けられている端部とは反対側が、本体７０に対して縫合固定されている。なお、当該第１縦抱き用カバー６４には、後述する腰ベルト収容パーツ８０に設けられている第１横抱き用雌バックル８５から第１縦抱き用雌バックル６５が離れてしまうことを防ぐための第１係止用ゴムバンド８７等と同様に、第１縦抱き用雌バックル６５から第１切換雄バックル３３が離れてしまうことを防ぐための第１係止用ゴムバンド６４ａが縫合固定されている（ゴムバンドを用いた係止構造の詳細構造については、後述の第１係止用ゴムバンド８７等を用いた係止構造と同様である）。
【００５６】
（７）第２縦抱き用雌バックル６７
第２縦抱き用雌バックル６７は、縦抱き使用時において第２大人用肩ベルト４０の第２切換雄バックル４３が連結され、横抱き使用時において後述する子供用腰ベルト５５の第２子供用腰雄バックル５８または第１子供用腰雄バックル５７が連結されるものであり、縦抱き使用時の大人側から見て本体７０の右側の上下方向における中央近傍に設けられている。より詳細には、第２縦抱き用雌バックル６７は、短いストラップに連結されており、当該ストラップが本体７０に縫合固定されることで、本体７０に固定されている。第２縦抱き用雌バックル６７は、樹脂部材によって構成されている。
【００５７】
（８）第２縦抱き用カバー６６
第２縦抱き用カバー６６は、第２縦抱き用雌バックル６７の連結箇所を除く周囲を筒状に覆うように設けられた布状部材であり、開口が設けられている端部とは反対側が、本体７０に対して縫合固定されている。なお、当該第２縦抱き用カバー６６には、後述する腰ベルト収容パーツ８０に設けられている第２横抱き用雌バックル８６から第２縦抱き用雌バックル６７が離れてしまうことを防ぐための第２係止用ゴムバンド８８と同様に、第２縦抱き用雌バックル６７から第２切換雄バックル４３が離れてしまうことを防ぐための第２係止用ゴムバンド６６ａが縫合固定されている（ゴムバンドを用いた係止構造の詳細構造については、後述の第２係止用ゴムバンド８８等を用いた係止構造と同様である）。
【００５８】
（９）子供用肩ベルト１０、２０
子供用肩ベルト１０、２０は、子供を子守帯１００に保持させるためのものであり、子供の右肩に掛けるようにして用いられる第１子供用肩ベルト１０と、子供の左肩に掛けるようにして用いられる第２子供用肩ベルト２０とがある。
【００５９】
これらの第１子供用肩ベルト１０と第２子供用肩ベルト２０は、いずれも一端が本体７０に対して縫合により連結されている。
【００６０】
第１子供用肩ベルト１０は、縦抱き使用時の大人側から見て本体７０の左寄りであって子供側から見て右側に設けられており、一端が本体７０の上端と接続されており、第１子供用ストラップ部１１、第１子供用バックル１２、第１カバー１５等を有している。
【００６１】
第１子供用ストラップ部１１は、第１大人用肩ベルト３０と本体７０との縫合箇所よりも内側（大人側から見て右側）であって、第２大人用肩ベルト４０と本体７０との縫合箇所よりも内側（大人側から見て左側）の位置に、一端が縫合固定されており、他端まで伸びている。第１子供用ストラップ部１１は、樹脂繊維が編み込まれるようにして構成されている。
【００６２】
第１子供用バックル１２は、樹脂部材によって構成されており、第１子供用ストラップ部１１のうち縫合固定されている側とは反対側に取り付けられている。第１子供用バックル１２には、第１子供用ストラップ部１１の長手方向における第１子供用バックル１２の位置を変更するためのアジャスタが設けられている。
【００６３】
この第１子供用バックル１２は、第１子供用肩ベルト１０と第２子供用肩ベルト２０とを取り付ける取付具として機能し、後述する第２子供用肩ベルト２０の第２子供用ストラップ部２１に取り付けられた第２子供用バックル２２と連結および切り離しが可能となるように構成されている。具体的には、第１子供用バックル１２と第２子供用バックル２２とは、股当て６０の上方通過部６１の内部（もしくは下方通過部６２の内部）において、締結される。これにより、乳幼児等の子供が子守帯１００から脱落することを抑制することが可能になっている。
【００６４】
第１カバー１５は、第１子供用ストラップ部１１の一部の周囲を覆う部材であり、第１子供用ストラップ部１１に対して取り付け固定された状態で用いられる。
【００６５】
第２子供用肩ベルト２０は、第１子供用肩ベルト１０と同様ではあるが、縦抱き使用時の大人側から見て本体７０の右寄りであって子供側から見て左側に設けられており、一端が本体７０の上端と接続されており、第２子供用ストラップ部２１、第２子供用バックル２２、第２カバー２５等を有している。
【００６６】
第２子供用ストラップ部２１は、第１大人用肩ベルト３０と本体７０との縫合箇所よりも内側（大人側から見て右側）であって、第２大人用肩ベルト４０と本体７０との縫合箇所よりも内側（大人側から見て左側）の位置に、一端が縫合固定されており、他端まで伸びている。第２子供用ストラップ部２１は、樹脂繊維が編み込まれるようにして構成されている。
【００６７】
第２子供用バックル２２は、樹脂部材によって構成されており、第２子供用ストラップ部２１のうち縫合固定されている側とは反対側に取り付けられている。第２子供用バックル２２には、第２子供用ストラップ部２１の長手方向における第２子供用バックル２２の位置を変更するためのアジャスタが設けられている。
【００６８】
この第２子供用バックル２２は、第１子供用肩ベルト１０と第２子供用肩ベルト２０とを取り付ける取付具として機能し、上述した第１子供用肩ベルト１０の第１子供用ストラップ部１１に取り付けられた第１子供用バックル１２と連結および切り離しが可能となるように構成されている。
【００６９】
第２カバー２５は、第２子供用ストラップ部２１の一部の周囲を覆う部材であり、第２子供用ストラップ部２１に対して取り付け固定された状態で用いられる。
【００７０】
（１０）股当て６０
股当て６０は、子供を子守帯１００に保持させるためのものであり、子供の股の間を子供の後方から子供の前側に渡すようにして、本体７０と股当て６０によって子供を挟み込むようにして用いられる。
【００７１】
この股当て６０は、その下端が、本体７０の下方のうち、本体７０の下端と大人用腰ベルト５０の中央上端との連結箇所に対して縫合により連結されている。
【００７２】
股当て６０は、比較的柔らかい布部材によって構成されており、上方通過部６１、下方通過部６２、股当て部分６３等を有している。
【００７３】
股当て部分６３は、使用状態における股当て６０の最も下方の部分を構成しており、子供の股を子供の下方から前側に掛けて支持する部分である。この股当て部分６３の下端は、上述のように、本体７０の下端と大人用腰ベルト５０の中央上端との間に縫合されることで固定されている。
【００７４】
下方通過部６２は、股当て部分６３の上端において繋がるように設けられている。この下方通過部６２は、前後方向に２枚の布部材が重なっており、その下端は股当て部分６３の上端に縫合されている。
【００７５】
上方通過部６１は、下方通過部６２の上端から上方に連続するように設けられている。具体的には、上方通過部６１は、下方通過部６２の前後方向に重なった２枚の布部分のそれぞれの上端からさらに上方に向けて延びるようにして構成されており、上方通過部６１の２枚の布部分は上端において連続している。
【００７６】
下方通過部６２と上方通過部６１との上下方向における境界近傍には、２枚の布部分の内側において、互いに対向する部分を固定できるように、ボタン６１ａが設けられている。このボタン６１ａによって２枚の布部分が固定された状態では、下方通過部６２では左右の両端が開放され、左右方向に貫通した状態となり、上方通過部６１においては、下方通過部６２とは独立して、左右の両端が開放され、左右方向に貫通した状態となる。
【００７７】
この股当て６０は、図３に示すように、比較的大きく成長した子供に対しては、第１子供用肩ベルト１０および第２子供用肩ベルト２０を、股当て６０の下方通過部６２ではなく上方通過部６１の内側を通すようにして用いる。これにより、股当て６０のうち上方通過部６１と下方通過部６２と股当て部分６３の合計の縦方向の長さ分により子供の前側を覆うことが可能になる。
【００７８】
また、股当て６０は、比較的小さな子供に対しては、第１子供用肩ベルト１０および第２子供用肩ベルト２０を、股当て６０の上方通過部６１ではなく下方通過部６２の内側を通すようにして用いる。これにより、股当て６０のうち下方通過部６２と股当て部分６３の合計の縦方向の長さ分だけで子供の前側を覆うことが可能になる。この際、股当て６０の上方通過部６１は、子供側に折り込まれる。
【００７９】
（１１）環状ストラップ部６９
環状ストラップ部６９は、その両端が、本体７０の下方のうち、本体７０の下端と大人用腰ベルト５０の中央上端との連結箇所（さらに股当て６０が縫合固定されている箇所でもある）に対して縫合により連結されている。この環状ストラップ部６９は、縦抱き状態において内側の貫通部分が上下方向を向くように設けられており、後述する横抱きの際に腰ベルト収容パーツ８０を取り付ける際に用いられる。すなわち、環状ストラップ部６９の内側に形成されている貫通部分は、腰ベルト収容パーツ８０のうち横抱き用カバー８４やその内部に位置する第１横抱き用雌バックル８５、第２横抱き用雌バックル８６は通過させることができるが、大人用腰ベルト５０が収容された収容部８１については通過させることができない大きさになっている。
【００８０】
（１２）フード７７
フード７７は、必要に応じて本体７０の上端であって大人とは反対側に取り付けて用いられ、子供の頭を支えることができ、直射日光から保護することもできる。
【００８１】
このフード７７は、内側の外観平面図である図４および外側の外観斜視図である図５に示すように、フード本体７７ａ、収納ポケット７７ｂ、第１大人用肩ベルト側固定部７９、第２大人用肩ベルト側固定部７８等を有している。
【００８２】
フード本体７７ａは、布で構成されており、下端には本体７０の上端のフード取付けボタン７６に留めることができるようにボタン７７ｃが複数設けられている。
【００８３】
収納ポケット７７ｂは、フード本体７７ａに対する内側（使用時の子供の頭側）において、フード本体７７ａのうちボタン７７ｃが設けられている側とは反対側の一部と重なるように布が設けられていることで構成されている。収納ポケット７７ｂは、伸縮性を有する布状部材によって構成されており、ボタン７７ｃ側の部分が開放された開口部７７ｂ’を有するように構成されている。収納ポケット７７ｂを構成する布状部材は、伸縮性を有するため、折り畳まれた状態または使用時のままの状態の本体７０を含む子守帯１００またはその大部分を、内部に収容することが可能になっている。また、フード７７が、ボタン７７ｃを介して本体７０に取り付けられたままの状態であっても、フード７７の全体を裏返して本体７０を含む子守帯１００の全体を包み込むことが可能である。これにより、子守帯１００を使用しない状態において、コンパクト化させた持ち運びが可能となっている。
【００８４】
第１大人用肩ベルト側固定部７９は、フード本体７７ａの上端の一部から伸び出している。この第１大人用肩ベルト側固定部７９は、第１大人用肩ベルト３０に設けられたボタンに対して留めることが可能なボタン７９ａを複数有しており、留める位置を調節することが可能となっている。
【００８５】
第２大人用肩ベルト側固定部７８は、フード本体７７ａの上端のうち第１大人用肩ベルト側固定部７９が伸び出している側とは反対側の一部から伸び出している。この第２大人用肩ベルト側固定部７８は、第２大人用肩ベルト４０に設けられたボタンに対して留めることが可能なボタン７８ａを複数有しており、留める位置を調節することが可能となっている。
【００８６】
（１３）インサートパッド９５
インサートパッド９５は、比較的小さな子供を抱く際に、本体７０の大人側であって、本体７０と子供との間に取り付けて用いられる。これにより、本体７０と子供の周囲の隙間を埋めることが可能になる。
【００８７】
インサートパッド９５は、比較的柔らかいクッション素材によって構成されており、外観平面図である図６に示すように、パッド本体９６、パッド取付けベルト９７、パッド取付けボタン９８、肉厚周縁部９９等を有している。
【００８８】
パッド取付けベルト９７は、パッド本体９６の左右の下方において一端が縫合固定されており、他端近傍にはパッド取付けボタン９８が設けられている。
【００８９】
肉厚周縁部９９は、パッド本体９６の下縁部を除く左右および上端を縁取るように設けられており、パッド本体９６よりも肉厚に構成されている。なお、肉厚周縁部９９の左右方向の長さは、本体７０の上端近傍における左右方向の長さよりも長くなるように構成されているため、本体７０に固定された状態では、肉厚周縁部９９の左右両端近傍部分を子供の側頭部に対向するように配置することが可能になっている。
【００９０】
インサートパッド９５は、縦抱き時には、例えば、図８に示すように、パッド取付けボタン９８を留めた状態で、左右の各パッド取付けベルト９７とパッド本体９６との間に対して、第１大人用肩ベルト３０の第１大人用ストラップ部３２や第１縦抱き用カバー６４が通されており、第２大人用肩ベルト４０の第２大人用ストラップ部４２や第２縦抱き用カバー６６が通されている状態とすることによって、子守帯１００に取り付けられる。本実施形態の子守帯１００は、このような態様でインサートパッド９５が用いられることで、肉厚に構成された肉厚周縁部９９が子供の側頭部や後頭部を支えることができるため、首がすわった子供だけでなく、まだ首がすわらない子供を縦抱きすることも可能になっている。
【００９１】
また、インサートパッド９５は、横抱き時には、例えば、図１４、図１５に示すように、パッド取付けボタン９８を留めた状態で、左右の各パッド取付けベルト９７とパッド本体９６との間に対して、後述の子供用腰ベルト５５の子供用腰ストラップ５６の一端側や第１縦抱き用カバー６４が通されており、後述の子供用腰ベルト５５の子供用腰ストラップ５６の他端側や第２縦抱き用カバー６６が通されている状態とすることによって、子守帯１００に取り付けられる。このように、本実施形態の子守帯１００は、横抱き時には、インサートパッド９５によって子供の背中側を下から支えることで敷き布団のように機能させることができる。また、横抱き時には、インサートパッド９５の肉厚周縁部９９のうちの上縁部分を、図１５に示すように、平面視において子供の頭頂部を超えた場所に位置させることができる。このように、子供の後頭部を超えた位置に肉厚なクッション素材で構成された肉厚周縁部９９の一部を配置することができるため、子供の頭部のうち後頭部から頭頂部にかかる部分を保護することができるとともに、横抱き状態において子供が頭頂部側にずれてしまうことを抑制させることが可能である。
【００９２】
（１４）座部クッション９１
座部クッション９１も、比較的小さな子供を抱く際に、本体７０と股当て６０との間の下方の位置に取り付けて用いられる。これにより、座高の低い子供の上下位置を最適位置にすることが可能になる。
【００９３】
座部クッション９１は、比較的柔らかいクッション素材によって構成されており、外観斜視図である図７に示すように、クッション本体９２、クッションベルト部９３等を有している。
【００９４】
クッションベルト部９３は、クッション本体９２の大人側において左右に伸びるように設けられており、左右がクッション本体９２に縫合固定され、上下が開放されるように設けられている。
【００９５】
座部クッション９１は、インサートパッド９５および座部クッション９１が取り付けられた縦抱き状態の側面図である図８に示すように、クッション本体９２とクッションベルト部９３との間に股当て６０を通すことで、子守帯１００に取り付け固定される。
【００９６】
（１５）腰ベルト収容パーツ８０
腰ベルト収容パーツ８０は、比較的小さな乳幼児等の子供を仰向けに寝かせた姿勢で抱くための横抱き状態とする場合に用いられる部材であり、本体７０や大人用腰ベルト５０等からは分離独立された部材である。ここで、子守帯１００の横抱き使用時には、例えば、図１４、図１５に示すように、大人用腰ベルト５０を腰ベルト収容パーツ８０の収容部８１内部に収容し、第１大人用肩ベルト３０と第２大人用肩ベルト４０とを第１サポートベルトや第２サポートベルト４４等で一体化させつつ、これら第１大人用肩ベルト３０と第２大人用肩ベルト４０とを大人の首の後ろに回し掛けるようにして用いることができる。なお、図１４、図１５では、腰ベルト収容パーツ８０だけでなく、インサートパッド９５や後述する子供用腰ベルト５５を付属させている状態を例として示している。
【００９７】
腰ベルト収容パーツ８０は、横抱き状態の姿勢における上面図である図９および横抱き状態の姿勢における下面図である図１０に示すように、収容部８１、横抱き用カバー８４、第１横抱き用雌バックル８５、第２横抱き用雌バックル８６、第１係止用ゴムバンド８７、第２係止用ゴムバンド８８を有している。
【００９８】
収容部８１は、折り畳まれた状態の大人用腰ベルト５０を内部に収容するための布状の袋状部分であり、横抱き用カバー８４等が延びだしている側に向いて開口した収容開口８２と、収容開口８２の縁の一部を構成する伸縮部８３と、を有している。収容開口８２の縁の一部がゴム状で伸縮性を有する伸縮部８３によって構成されているため、伸縮部８３を伸ばすことで収容開口８２の開口面積を広げることができ、大人用腰ベルト５０の収容作業を容易にすることが可能となっている。また、一度、収容部８１内に収容された大人用腰ベルト５０は、伸縮部８３が収縮することで収容開口８２の開口面積が小さくなるため、脱落を抑制することが可能になっている。
【００９９】
横抱き用カバー８４は、収容部８１が有する収容開口８２の縁のうち上面側の中央近傍における縫合固定された箇所から伸び出すように設けられている。横抱き用カバー８４は、縫合固定箇所とは反対側の端部が開口した、筒状の布で構成されている。より具体的には、横抱き用カバー８４は、縫合固定箇所とは反対側の端部の形状として、幅方向の中央近傍が縫合固定箇所とは反対側に向けてより遠くまで膨出した形状を有している。すなわち、縫合固定箇所とは反対側の端部が開口の縁は、幅方向における両端部分において、より縫合固定箇所側に位置している。
【０１００】
第１横抱き用雌バックル８５は、横抱き用カバー８４の内部に設けられており、比較的短いストラップを介して横抱き用カバー８４の縫合固定箇所と同じ箇所で、収容部８１に固定されている。第２横抱き用雌バックル８６は、第１横抱き用雌バックル８５と同様であり、横抱き用カバー８４の内部に設けられており、比較的短いストラップを介して横抱き用カバー８４の縫合固定箇所と同じ箇所で、収容部８１に固定されている。これらの第１横抱き用雌バックル８５と第２横抱き用雌バックル８６には、横抱き状態において、第１大人用肩ベルト３０の第１切換雄バックル３３と第２大人用肩ベルト４０の第２切換雄バックル４３が連結される（ここでの連結の組合せは特に限定されない）。なお、第１横抱き用雌バックル８５と第２横抱き用雌バックル８６に対して第１大人用肩ベルト３０の第１切換雄バックル３３と第２大人用肩ベルト４０の第２切換雄バックル４３が連結された状態では、これらの樹脂で構成された第１横抱き用雌バックル８５と第２横抱き用雌バックル８６と第１切換雄バックル３３と第２切換雄バックル４３の全てが、横抱き用カバー８４の内部に位置するため、乳幼児等の子供に対して直接触れにくく、乳幼児等がダメージを受けることを抑制できる。
【０１０１】
第１係止用ゴムバンド８７は、外観斜視図である図１１および側面視配置説明図である図１２に示すように、第１横抱き用雌バックル８５における第１切換雄バックル３３や第２切換雄バックル４３の挿入口の近くにおいて、平面視において第１横抱き用雌バックル８５の一部と重複するように設けられている。具体的には、第１係止用ゴムバンド８７は、第１横抱き用雌バックル８５に対して第１切換雄バックル３３や第２切換雄バックル４３が挿入される挿入方向に対して垂直な方向が長手方向かつ伸縮方向となるように設けられており、長手方向の両端が横抱き用カバー８４の外周部分であって幅方向の両端近傍において縫合固定されている。そして、第１横抱き用雌バックル８５に対して第１切換雄バックル３３や第２切換雄バックル４３が挿入された後に、図１２に示すように、第１係止用ゴムバンド８７の長手方向の中央近傍の部分を、第１切換雄バックル３３（または第２切換雄バックル４３）のうちの第１横抱き用雌バックル８５から最も遠い部分および横抱き用カバー８４の先端部分を跨ぐようにして、第１横抱き用雌バックル８５から第１大人用ストラップ部３２が延び出している位置に引っ掛けて、張力が作用する状態とすることができる。これにより、意図せず誤って、第１横抱き用雌バックル８５から第１切換雄バックル３３（または第２切換雄バックル４３）が外れてしまうことがあっても、第１横抱き用雌バックル８５から第１切換雄バックル３３（または第２切換雄バックル４３）が離れて行きにくいため、乳幼児等の子供の脱落を抑制することが可能になっている。しかも、上述のように、横抱き用カバー８４の開口部分の縁は、幅方向における両端部分が、幅方向における中央部分よりも、横抱き用カバー８４と収容部８１との縫合固定箇所側に位置することで、幅方向の両側部分において凹みが設けられている。このため、第１係止用ゴムバンド８７を当該凹みに引っ掛けやすく、また、引っ掛けた状態から外れにくい。
【０１０２】
第２係止用ゴムバンド８８も、第１係止用ゴムバンド８７と同様であり、第２横抱き用雌バックル８６における第２切換雄バックル４３や第１切換雄バックル３３の挿入口の近くにおいて、平面視において第２横抱き用雌バックル８６の一部と重複するように設けられている。すなわち、第２係止用ゴムバンド８８は、第２横抱き用雌バックル８６に対して第２切換雄バックル４３や第１切換雄バックル３３が挿入される挿入方向に対して垂直な方向が長手方向かつ伸縮方向となるように設けられており、長手方向の両端が横抱き用カバー８４の外周部分であって幅方向の両端近傍において縫合固定されている。第２係止用ゴムバンド８８についても、第１係止用ゴムバンド８７と同様に、意図せず誤って、第２横抱き用雌バックル８６から第２切換雄バックル４３（または第１切換雄バックル３３）が外れてしまうことがあっても、第２横抱き用雌バックル８６から第２切換雄バックル４３（または第１切換雄バックル３３）が離れて行きにくいため、乳幼児等の子供の脱落を抑制することが可能になっている。第２係止用ゴムバンド８８についても、横抱き用カバー８４の凹みに引っ掛けやすく、外れにくい点は、第１係止用ゴムバンド８７と同様である。
【０１０３】
（１６）子供用腰ベルト５５
子供用腰ベルト５５は、図１４、図１５に示すように、横抱き使用時において第１縦抱き用雌バックル６５と第２縦抱き用雌バックル６７とを連絡するようにして用いられるものであり、外観図である図１３に示すように、子供用腰ストラップ５６と、第１子供用腰雄バックル５７と、第２子供用腰雄バックル５８と、を有している。
【０１０４】
子供用腰ストラップ５６の一端側には、第１子供用腰雄バックル５７が取り付けられており、子供用腰ストラップ５６の他端側には、第２子供用腰雄バックル５８が取り付けられている。第１子供用腰雄バックル５７および第２子供用腰雄バックル５８には、子供用腰ストラップ５６の長手方向における位置を変更できるようにアジャスタが設けられている。これら第１子供用腰雄バックル５７および第２子供用腰雄バックル５８は、樹脂部材によって構成されている。
【０１０５】
第１子供用腰雄バックル５７と第２子供用腰雄バックル５８は、横抱き状態において、いずれか一方が第１縦抱き用雌バックル６５に連結され、他方が第２縦抱き用雌バックル６７に連結される。これにより、子供用腰ベルト５５は、本体７０から子供の脱落を防ぐ役割を果たす。
【０１０６】
なお、子供用腰ベルト５５は、縦抱き状態においては、本体７０から分離され、用いられない。
【０１０７】
（１７）横抱き状態について
子守帯１００を、縦抱き状態から横抱き状態への変形させる手順としては、特に限定されないが、例えば、以下の手順が挙げられる。
【０１０８】
まず、縦抱き状態となっている第１大人用肩ベルト３０の第１切換雄バックル３３を、第１縦抱き用雌バックル６５から切り離し、第２大人用肩ベルト４０の第２切換雄バックル４３を、第２縦抱き用雌バックル６７から切り離す（第１係止用ゴムバンド６４ａ、第２係止用ゴムバンド６６ａの係止状態もそれぞれ解除させる）。
【０１０９】
そして、第１大人用肩ベルト３０の第１切換雄バックル３３の位置を、第１大人用ストラップ部３２の長さが最大となるようにもしくは最大よりも若干短くなるように調整する。同様に、第２大人用肩ベルト４０の第２切換雄バックル４３の位置を、第２大人用ストラップ部４２の長さが最大となるようにもしくは最大よりも若干短くなるように調整する。
【０１１０】
なお、第１子供用肩ベルト１０および第２子供用肩ベルト２０は、特に限定されないが、例えば、適宜、本体７０とインサートパッドとの間に折り畳んだ状態として、収容してもよい。
【０１１１】
次に、大人用腰ベルト５０の長手方向の両端を大人用腰ベルト５０の長手方向の中央近傍に集めるように折り込み、大人用腰ベルト５０をコンパクト化させる。そして、コンパクト化された大人用腰ベルト５０を、図１４、図１５に示すように、腰ベルト収容パーツ８０の収容部８１の内部に収容することで、大人用腰ベルト５０と腰ベルト収容パーツ８０とを一体化させる。
【０１１２】
そして、腰ベルト収容パーツ８０のうちの横抱き用カバー８４（およびこの内部に収容されている、第１横抱き用雌バックル８５、第２横抱き用雌バックル８６等）を、環状ストラップ部６９の内側を下から上に通過させる。
【０１１３】
そして、第１大人用肩ベルト３０の第１切換雄バックル３３と第２大人用肩ベルト４０の第２切換雄バックル４３を、腰ベルト収容パーツ８０の第１横抱き用雌バックル８５と第２横抱き用雌バックル８６に連結させる。さらに、第１係止用ゴムバンド８７や第２係止用ゴムバンド８８を所定の係止状態とする。
【０１１４】
また、子供用腰ベルト５５を、子守帯１００の本体７０に取り付ける。具体的には、子供用腰ベルト５５の第１子供用腰雄バックル５７と第２子供用腰雄バックル５８を、第１縦抱き用雌バックル６５と第２縦抱き用雌バックル６７にそれぞれ連結される（さらに、第１係止用ゴムバンド６４ａ、第２係止用ゴムバンド６６ａを用いて所定の係止状態とする。）。なお、必要であれば、アジャスタにおける調整により、第１子供用腰雄バックル５７や第２子供用腰雄バックル５８の子供用腰ストラップ５６における位置を調節する。これにより、横抱き時の子供の脱落を防ぐ。
【０１１５】
最後に、第１大人用肩ベルト３０と第２大人用肩ベルト４０とを第１サポートベルトや第２サポートベルト４４等で一体化させる。
【０１１６】
なお、横抱き状態から縦抱き状態への変換は、上記手順の逆の手順で行うことができる。
【０１１７】
以上のようにして横抱き状態となった子守帯１００は、一体化された第１大人用肩ベルト３０と第２大人用肩ベルト４０とを大人の首の後ろに回し掛けるようにして用いることができる。なお、フード７７やインサートパッド９５や座部クッション９１の使用は任意ではあり、横抱き状態での子守帯１００の使用は、主として首のすわらない月齢４ヶ月未満の身長が小さな乳幼児等の子供を対象として用いられるため、必要に応じて、これらの任意のパーツを用いることで、子供をより安定的に抱くことが可能になる。ここで、図１４、図１５に示す例では、フード７７や座部クッション９１を用いることなく、インサートパッド９５を用いた場合を例示している。この横抱き状態の子守帯１００では、インサートパッド９５の肉厚周縁部９９の上縁部分を子供の頭頂部を超えた場所に位置させることで、子供の頭部のうち後頭部から頭頂部にかかる部分を保護しつつ、頭頂部側へのずれを抑制できるため、首がすわる前の子供を横抱きする場合における安全性を高めることができている。
【０１１８】
（１８）本実施形態の特徴
本実施形態に係る子守帯１００では、縦抱き使用と横抱き使用の両方が可能であるため、乳幼児等の子供の成長に合わせて用い方を変えることで、より長い期間、使用することが可能になる。すなわち、未だ首が据わらない乳幼児等の子供についても、横抱き状態とすることで子守帯１００を使用することができ、首が据わった後は適宜横抱きまたは縦抱きの状態で子守帯１００を使用することができる。このため、縦抱き用の子守帯と横抱き用の子守帯とを別々に購入する等して用意する必要が無くなる。
【０１１９】
ここで、子守帯１００を横抱きの状態として用いる場合において、仮に、上記実施形態における収容部８１を有する腰ベルト収容パーツ８０が用いられることなく、単に、大人用腰ベルト５０のアジャスタを用いて大人用腰ベルト５０の長さを最小化させてまとめるだけでは、乳幼児等の子供の足が大人用腰ベルト５０に絡まってしまい、股関節に悪影響を生じさせるおそれも考えられる。これに対して、本実施形態の子守帯１００では、折り畳まれた大人用腰ベルト５０は、腰ベルト収容パーツ８０の収容部８１内に収容された状態で横抱き使用される。したがって、横抱きされている乳幼児等の子供の足が大人用腰ベルト５０に達する場合であっても、その絡まりを抑制させることが可能になっている。
【０１２０】
しかも、横抱き状態では、第１大人用肩ベルト３０の第１切換雄バックル３３と第２大人用肩ベルト４０の第２切換雄バックル４３は、環状ストラップ部６９を通過することで固定された腰ベルト収容パーツ８０が有する第１横抱き用雌バックル８５と第２横抱き用雌バックル８６に連結される。このため、単に、大人用腰ベルト５０を覆うだけでなく、環状ストラップ部６９に対しても固定された腰ベルト収容パーツ８０に対して第１大人用肩ベルト３０の第１切換雄バックル３３と第２大人用肩ベルト４０の第２切換雄バックル４３を固定することができるため、横抱き状態の子守帯１００の安定性を高めることが可能になっている。
【０１２１】
そして、乳幼児等の子供が成長し、首が据わる等して縦抱きが可能な時期になった場合には、子守帯１００を縦抱きの状態に切り換えるが、その場合に、縦抱きの際には用いられることなく不要となる腰ベルト収容パーツ８０は、縦抱き状態の子守帯１００から分離される。したがって、縦抱き状態の子守帯１００を軽量化させることが可能になる。より具体的には、縦抱き状態では、大人用腰ベルト５０を収容する必要が無いため、収容部８１は不要となる。また、縦抱き状態では、第１大人用肩ベルト３０の第１切換雄バックル３３と第２大人用肩ベルト４０の第２切換雄バックル４３は本体７０の側方に設けられた第１縦抱き用雌バックル６５や第２縦抱き用雌バックル６７に連結されることになるため、第１横抱き用雌バックル８５や第２横抱き用雌バックル８６は不要となる。このように、縦抱き状態では不要となる部分を、縦抱き状態の子守帯１００から分離させることで、軽量化を図ることが可能になっている。しかも、縦抱き状態での使用期間は、横抱き状態での使用期間よりも比較的長くなりがちであるところ、子守帯１００について長期間用いられる状態での軽量化を図ることが可能となっている。
【０１２２】
（１９）変形例
（１９−１）変形例Ａ
上記実施形態では、環状ストラップ部６９の内側に腰ベルト収容パーツ８０の横抱き用カバー８４（およびこの内部に収容されている、第１横抱き用雌バックル８５、第２横抱き用雌バックル８６等）を通過させることで、腰ベルト収容パーツ８０が取り付けられる構造を例に挙げて説明した。
【０１２３】
これに対して、腰ベルト収容パーツ８０が有する収容部８１が大人用腰ベルト５０を内部に収容した状態での腰ベルト収容パーツ８０と大人用腰ベルト５０との連結強度が十分に確保できる構造の場合には、環状ストラップ部６９を省略してもよい。
【０１２４】
（１９−２）変形例Ｂ
上記実施形態では、腰ベルト収容パーツ８０の収容部８１内に折り畳まれた大人用腰ベルト５０の全体を収容させる場合を例に挙げて説明した。
【０１２５】
これに対して、折り畳まれた大人用腰ベルト５０の全体を内部に収容させる必要は無く、例えば、折り畳まれた大人用腰ベルト５０の周囲のみを取り巻くようなパーツを用いることで、乳幼児等の子供の足が絡まることを抑制させるようにしてもよい。
【０１２６】
（１９−３）変形例Ｃ
上記実施形態では、腰ベルト収容パーツ８０において第１横抱き用雌バックル８５と第２横抱き用雌バックル８６を備えさせた場合を例に挙げて説明した。
【０１２７】
これに対して、横抱き状態で使用される第１横抱き用雌バックル８５と第２横抱き用雌バックル８６は、腰ベルト収容パーツ８０側に設けられるのでは無く、本体７０と大人用腰ベルト５０との連結部分に固定されていてもよい。
【０１２８】
この場合には、縦抱き使用時に不要となる第１横抱き用雌バックル８５と第２横抱き用雌バックル８６が、本体７０に付随したままとなってしまうものの、大人用腰ベルト５０を収容する収容部８１を有する腰ベルト収容パーツについては分離させることができる。
【０１２９】
最も、縦抱き使用時に不要となる第１横抱き用雌バックル８５と第２横抱き用雌バックル８６についても、子守帯１００から分離できる点で、上記実施形態の方が好ましい。
【符号の説明】
【０１３０】
１０  第１子供用肩ベルト
１１  第１子供用ストラップ部
１２  第１子供用バックル
１５  第１カバー
２０  第２子供用肩ベルト
２１  第２子供用ストラップ部
２２  第２子供用バックル
２５  第２カバー
３０  第１大人用肩ベルト
３１  第１大人用肉厚部
３２  第１大人用ストラップ部
３３  第１切換雄バックル（第１連結部）
３４  第１サポートベルト
３５  第１サポートバックル
４０  第２大人用肩ベルト
４１  第２大人用肉厚部
４２  第２大人用ストラップ部
４３  第２切換雄バックル（第２連結部）
４４  第２サポートベルト
４５  第２サポートバックル
５０  大人用腰ベルト（腰ベルト）
５１  大人用腰ベルト本体
５２  大人用腰ストラップ
５３  大人用腰雄バックル
５４  大人用腰雌バックル
５５  子供用腰ベルト
５６  子供用腰ストラップ
５７  第１子供用腰雄バックル
５８  第２子供用腰雄バックル
６０  股当て
６１  上方通過部
６２  下方通過部
６３  股当て部分
６４  第１縦抱き用カバー
６５  第１縦抱き用雌バックル（第１本体側被連結部）
６６  第２縦抱き用カバー
６７  第２縦抱き用雌バックル（第２本体側被連結部）
６９  環状ストラップ部（環状部）
７０  本体
７１  小物入れ
７２  ファスナー
７７  フード
７７ｂ  収納ポケット
８０  腰ベルト収容パーツ（収容部材）
８１  収容部
８２  収容開口（開口部）
８３  伸縮部
８４  横抱き用カバー（カバー部）
８５  第１横抱き用雌バックル（第１収容側被連結部）
８６  第２横抱き用雌バックル（第２収容側被連結部）
８７  第１係止用ゴムバンド（第１係止部）
８８  第２係止用ゴムバンド（第２係止部）
９１  座部クッション
９５  インサートパッド
１００  子守帯
Ｃ  子供
【先行技術文献】
【特許文献】
【０１３１】
【特許文献１】特開２０１３−１４６３９９号公報
【図１】
2020010793.tif 000003
【図２】
2020010793.tif 000004
【図３】
2020010793.tif 000005
【図４】
2020010793.tif 000006
【図５】
2020010793.tif 000007
【図６】
2020010793.tif 000008
【図７】
2020010793.tif 000009
【図８】
2020010793.tif 000010
【図９】
2020010793.tif 000011
【図１０】
2020010793.tif 000012
【図１１】
2020010793.tif 000013
【図１２】
2020010793.tif 000014
【図１３】
2020010793.tif 000015
【図１４】
2020010793.tif 000016
【図１５】
2020010793.tif 000017